(57)【要約】【課題】複数のユニット形コンデンサ装置を設置するスペースの省力化を図るともに、ユニット形コンデンサ装置の製造コストを低減すること。【解決手段】コンデンサ容器１６、コイル容器１７および制御箱１８に二台分のコンデンサ１１ａ、１１ｂ、リアクトル１２ａ、１２ｂ、放電コイル１３ａ、１３ｂ、ヒューズ１５ａ、１５ｂおよび制御回路を含む開閉器１４ａ、１４ｂをそれぞれ収納してユニット形コンデンサ装置を構成する。二台分のコンデンサ１１ａ、１１ｂのそれぞれの容量を例えば２倍異ならせることによって、設置するスペースの省力化をより図ることができる。【選択図】  図１
2008294051.tif 000002
【特許請求の範囲】
【請求項１】
コンデンサ、リアクトル、放電コイル、ヒューズおよび制御回路を含む開閉器が結線された回路のコンデンサ装置において、１ユニット内に前記コンデンサ装置が複数回路配置されていることを特徴とするユニット形コンデンサ装置。
【請求項２】
複数回路の数が２又は３又は４のいずれかであることを特徴とする請求項１に記載のユニット形コンデンサ装置
【請求項３】
コンデンサの容量が互いに異なることを特徴とする請求項２に記載のユニット形コンデンサ装置。
【発明の詳細な説明】
【技術分野】
【０００１】
本発明は、電気系統の力率改善などに使用する複数のコンデンサ装置おけるユニット形コンデンサ装置に関するものである。
【背景技術】
【０００２】
電気系統では、コンデンサ、リアクトル、放電コイル、ヒューズおよび制御回路を含む開閉器が順次結線された回路を備えたユニット形コンデンサ装置が複数設置され、複数設置されたユニット形コンデンサ装置を一つまたは複数組み合わせて電気系統の力率改善などが行われている。
【０００３】
図３（正面図（ａ）、側面図（ｂ））および図４（結線図）は、従来のユニット形コンデンサ装置の構成を示すもので、図４において、１はコンデンサ、２はリアクトル、３は放電コイル、４は開閉器、５はヒューズ、Ｌは母線であり、コンデンサ１、リアクトル２、開閉器３およびヒューズ５は順次直列に接続されて母線Ｌに接続されている。放電コイル３はコンデンサ１に充電された電荷を放出するもので、その一端はリアクトル２と開閉器３の間に接続されている。
【０００４】
そして、コンデンサ１、リアクトル２、放電コイル３、開閉器４およびヒューズ５は、図３に示すように一台のユニット形コンデンサ装置に纏められている。すなわち、図３において、６はコンデンサ１を収納したコンデンサ容器、７はリアクトル２および放電コイル３を収納したコイル容器、８は開閉器４およびヒューズ５を収納した制御箱、９はブッシングである。
【０００５】
この例ではコンデンサ容器６の上に積載したコイル容器７の前面に制御箱８が配置されており、リアクトル２と開閉器４とはブッシング９を介して接続されている。なお、図３は三相母線の場合を示しており、各相ごとに図４に示す回路が備えられており、ブッシング９は３本横方向に設けられている。
【特許文献１】実開昭５４−１４３５８号公報
【０００６】
従来は、このように構成したユニット形コンデンサ装置を複数台例えば４台設置するため、その設置には広いスペースが必要であるとともに、ユニット形コンデンサ装置の製造コストが高価になるといった問題があった。
【発明の開示】
【発明が解決しようとする課題】
【０００７】
本発明が解決しようとする課題は、複数のユニット形コンデンサ装置を設置するスペースの省力化を図るともに、ユニット形コンデンサ装置の製造コストを低減する点にある。
【課題を解決するための手段】
【０００８】
本発明は、ユニット形コンデンサ装置を、コンデンサ、リアクトル、放電コイル、ヒューズおよび制御回路を含む開閉器が結線された回路のコンデンサ装置において、１ユニット内に前記コンデンサ装置を複数回路配置して構成することを特徴とする。
【発明の効果】
【０００９】
本発明では、一台のユニット形コンデンサ装置に、一母線に対して複数のコンデンサ、リアクトル、放電コイル、ヒューズおよび制御回路を含む開閉器が順次結線された回路を複数、例えば二台分備えているので、設置するユニット形コンデンサ装置の台数を低減することができ、設置するスペースの省力化を図ることができる。また、コンデンサ容器、コイル容器および制御箱を二台分共用するので、これらの容器や箱が削減されるとともに、一台の組立で二台分一度に組み立てることができ組立作業手間が大幅に低減することができる。さらに、二台分それぞれのコンデンサ容量を異なる、例えば二つのコンデンサ容量の比を１対２にすると設置する台数をさらに低減することができる。
【発明を実施するための最良の形態】
【００１０】
複数のユニット形コンデンサ装置を設置するスペースの省力化を図るともに、ユニット形コンデンサ装置の製造コストを低減する目的を、コンデンサ容器、コイル容器および制御箱に二台分のコンデンサ、リアクトル、放電コイル、ヒューズおよび制御回路を含む開閉器をそれぞれ収納することにより実現した。
【実施例】
【００１１】
図１（正面図（ａ）、側面図（ｂ））および図２（結線図）は、本発明の実施例に係るユニット形コンデンサ装置の構成図である。図２において、１１ａおよび１１ｂはコンデンサ（本実施例では、コンデンサ１１ｂはコンデンサ１１ａの２倍の容量に設定している。）、１２ａおよび１２ｂはリアクトル、１３ａおよび１３ｂは放電コイル、１４ａおよび１４ｂは開閉器、１５ａおよび１５ｂはヒューズ、Ｌは母線であり、コンデンサ１１ａ、リアクトル１２ａ、開閉器１４ａおよびヒューズ１５ａは順次直列に接続されて母線Ｌに接続されている。放電コイル１３ａはコンデンサ１１ａに充電された電荷を放出するもので、その一端はリアクトル１２ａと開閉器１４ａの間に接続されている。
【００１２】
同様に、コンデンサ１１ｂ、リアクトル１２ｂ、開閉器１４ｂおよびヒューズ１５ｂは順次直列に接続されて母線Ｌに接続されている。放電コイル１３ｂはコンデンサ１１ｂに充電された電荷を放出するもので、その一端はリアクトル１２ｂと開閉器１４ｂの間に接続されている。
【００１３】
そして、コンデンサ１１ａおよび１１ｂ、リアクトル１２ａおよび１２ｂ、放電コイル１３ａおよび１３ｂ、開閉器１４ａおよび１４ｂとヒューズ１５ａおよび１５ｂは、図１に示すように一台のユニット形コンデンサ装置に纏められている。すなわち、図１において、１６は絶縁油が充填され、コンデンサ１１ａおよび１１ｂを収納したコンデンサ容器、１７は絶縁油が充填され、リアクトル１２ａおよび１２ｂと放電コイル１３ａおよび１３ｂを収納したコイル容器、１８は開閉器１４ａおよび１４ｂとヒューズ１５ａおよび１５ｂを収納した制御箱、１９ａおよび１９ｂはブッシングである。
【００１４】
本実施例では、コンデンサ容器１６の上にコイル容器１７が載せられ、その上に図示しない油量調整器が載せられている。制御箱１８はコンデンサ容器１６と積載したコイル容器１７の前面に配置されており、リアクトル１２ａと開閉器１４ａとはブッシング１９ａを介して接続されており、リアクトル１２ｂと開閉器１４ｂとはブッシング１９ｂを介して接続されている。
【００１５】
なお、図２は単相結線図を示しており、各相ごとに図１に示す回路が備えられ、ブッシング１９ａ、１９ｂは３本２列横方向に設けられている。また、開閉器１４ａと１４ｂは、制御箱１８内の下部に並べて配置し、その上部空間にヒューズ１５ａおよび１５ｂを千鳥に配置し、空間の有効利用を図っている。
【００１６】
以上の実施例では、コンデンサ容器、コイル容器および制御箱に二台分のコンデンサ、リアクトル、放電コイル、ヒューズおよび制御回路を含む開閉器をそれぞれ収納しているが、コンデンサ容器、コイル容器および制御箱に収納するコンデンサ、リアクトル、放電コイル、ヒューズおよび制御回路を含む開閉器は二台分に限らず、さらに多くの台数分、実際上では２又は３又は４のいずれかの台数分を収納してもよい。また、二台分の各コンデンサの容量を組み合わせ易い２倍異なるようにしているが、この２倍に限定するものではない。複数台分の各コンデンサの容量の設定は任意である。
【図面の簡単な説明】
【００１７】
【図１】本発明の実施例に係るユニット形コンデンサ装置の構成図である。
【図２】本発明の実施例に係るユニット形コンデンサ装置の結線図である。
【図３】従来のユニット形コンデンサ装置の構成図である。
【図４】従来のユニット形コンデンサ装置の結線図である。
【符号の説明】
【００１８】
１１ａ、１１ｂ  コンデンサ
１２ａ、１２ｂ  リアクトル
１３ａ、１３ｂ  放電コイル
１４ａ、１４ｂ  開閉器
１５ａ、１５ｂ  ヒューズ
Ｌ    母線
１６  コンデンサ容器
１７  コイル容器
１８  制御箱
１９ａ  １９ｂ  ブッシング
【図１】
2008294051.tif 000003
【図２】
2008294051.tif 000004
【図３】
2008294051.tif 000005
【図４】
2008294051.tif 000006